(57)【要約】【課題】  本考案は、内部に収容した被包装商品を流通運搬中の汚れから守り、包装後、被包装商品にラベル等の追加が生じた時にはその被包装商品を袋から取り出すことなく、外部からの取り付けが容易に行えるように一部を大きく開口することができ、最終運搬地では、袋体を容易に破断してスピーディーに商品の取り出しが行える商品の汚れ防止用包装袋の提供にある。【解決手段】左右側縁と天縁または底縁の三方が閉鎖される樹脂フィルム製袋体であって、閉鎖される天縁又は底縁に略平行し、かつ袋体の左側縁と右側縁とに所要の間隔を離隔する開口端を有して袋体の表裏面に貫通する横点線状破断部を入れ、その横点線状破断部の中間より底縁の方向に向かって表裏面に貫通する縦点線状破断部を連続又は中間を断続して入れてなる商品の汚れ防止用包装袋。【選択図】図３
0003114627.tif 000002
【実用新案登録請求の範囲】
【請求項１】
左右側縁と天縁の三方が閉鎖される樹脂フィルム製袋体であって、閉鎖される天縁に近く、平行または略平行であって、かつ袋体の左側縁と右側縁とに所要の間隔を離隔する両端部を有して袋体の表裏面に貫通する横点線状破断部を入れ、その横点線状破断部の中間より底縁の方向に向かって表裏面に貫通する縦点線状破断部を入れてなる商品の汚れ防止用包装袋。
【請求項２】
左右側縁と底縁の三方が閉鎖される樹脂フィルム製袋体であって、閉鎖される底縁に近く、平行または略平行であって、かつ袋体の左側縁と右側縁とに所要の間隔を離隔する両端部を有して袋体の表裏面に貫通する横点線状破断部を入れ、その底縁の上方の横点線状破断部の中間より天縁に方向に向かって表裏面に貫通する縦点線状破断部を入れてなる商品の汚れ防止用包装袋。
【請求項３】
前記縦点線状破断部は、天縁の近く下方の横点線状破断部の中間の下方の上部縦点線状破断部と、底縁より上方の下部縦点線状破断部に分割し、その中間部分を未加工部分として残してなる請求項１の商品の汚れ防止用包装袋。
【請求項４】
前記縦点線状破断部は、底縁の近くの上方の横点線状破断部の中間の上方の下部縦点線状破断部と、天縁の下方の上部縦点線状破断部に分割し、その中間部分を未加工部分として残してなる請求項２の商品の汚れ防止用包装袋。
【請求項５】
前記縦点線状破断部は、天縁の近く下方の横点線状破断部の中間の下方の上部縦点線状破断部と底縁より上方の下部縦点線状破断部に分割し、その中間部分を未加工部分により一部または複数部に分断した分断中間縦点線状破断部に設けてなる請求項１の商品の汚れ防止用包装袋。
【請求項６】
前記縦点線状破断部は、底縁の近く上方の横点線状破断部の中間の上方の下部縦点線状破断部と天縁より下方の上部縦点線状破断部に分割し、その中間部分を未加工部分により一部または複数部に分断した分断中間縦点線状破断部に設けてなる請求項２の商品の汚れ防止用包装袋。
【考案の詳細な説明】
【技術分野】
【０００１】
本考案は、内部に収容した被包装商品を流通運搬中の汚れから守り、包装後、被包装商品にラベル等の追加が生じた時にはその被包装商品を袋から取り出すことなく、外部からの取り付けが容易に行えるように一部を大きく開口することができ、最終運搬地では、袋体を容易に破断してスピーディーに商品の取り出しが行える商品の汚れ防止用包装袋に関するものである。
【背景技術】
【０００２】
近年、急激に被服類、雑貨等の商品が海外生産にシフトされ、現地で包装され、遠路を経て我が国に輸入され、開披されて売り場に陳列されるようになった。そのため、商品の包装の適否が商品の保護と流通コストに大きく係るものである。
従来、食品を小分けして包装する商品包装用袋は、実開平５−７５１４６号に開示されている。また、生鮮食品であるバナナの輸送兼陳列用包装袋が実登第３０１４７７８号公報に掲載されている。また、包装袋を包装する外装袋を一体に取付けたものが、特開２００３−３４１６９３号公報に掲載されている。しかし、これらは、当然ながら商品を包装する機能はあっても、包装後に内部の商品にラベルを取付けるような後付け作業を考慮した構造がなく、また、左右から引張力で簡単に破断し、商品と包装用袋が分離する構造になっていないものである。
【特許文献１】実開平５−７５１４６号公報
【特許文献２】実登第３０１４７７８号公報
【特許文献３】特開２００３−３４１６９３号公報
【考案の開示】
【考案が解決しようとする課題】
【０００３】
この考案は、生産現地から販売地の店頭等で開披されるまでの輸送中における保護機能を備え、包装後、必要が生じれば、外部からラベル等を追加して取付けが可能な大きな開口を袋体の一部に、簡易に開けることができる等の包装作業の簡易化及び拡大化、そして、その販売地の店頭等で容易、かつスピーディーに開披ができる商品の汚れ防止用包装袋の提供にある。
【課題を解決するための手段】
【０００４】
左右側縁と天縁の三方が閉鎖される樹脂フィルム製袋体であって、閉鎖される天縁に近く、平行または略平行であって、かつ袋体の左側縁と右側縁とに所要の間隔を離隔する両端部を有して袋体の表裏面に貫通する横点線状破断部を入れ、その横点線状破断部の中間より底縁の方向に向かって表裏面に貫通する縦点線状破断部を入れてなる商品の汚れ防止用包装袋にある。
【０００５】
左右側縁と底縁の三方が閉鎖される樹脂フィルム製袋体であって、閉鎖される底縁に近く、平行または略平行であって、かつ袋体の左側縁と右側縁とに所要の間隔を離隔する両端部を有して袋体の表裏面に貫通する横点線状破断部を入れ、その底縁の上方の横点線状破断部の中間より天縁に方向に向かって表裏面に貫通する縦点線状破断部を入れてなる商品の汚れ防止用包装袋としてもよいものである。
【０００６】
前記縦点線状破断部は、天縁の近く下方の横点線状破断部の中間の下方の上部縦点線状破断部と、底縁より上方の下部縦点線状破断部に分割し、その中間部分を未加工部分として残してもよいものである。
【０００７】
前記縦点線状破断部は、底縁の近くの上方の横点線状破断部の中間の上方の下部縦点線状破断部と、天縁の下方の上部縦点線状破断部に分割し、その中間部分を未加工部分として残してもよいものである。
【０００８】
前記縦点線状破断部は、天縁の近く下方の横点線状破断部の中間の下方の上部縦点線状破断部と底縁より上方の下部縦点線状破断部に分割し、その中間部分を未加工部分により一部または複数部に分断した分断中間縦点線状破断部に設けてもよいものである。
【０００９】
前記縦点線状破断部は、底縁の近く上方の横点線状破断部の中間の上方の下部縦点線状破断部と天縁より下方の上部縦点線状破断部に分割し、その中間部分を未加工部分により一部または複数部に分断した分断中間縦点線状破断部に設けてもよいものである。
【考案の効果】
【００１０】
この考案は、生産現地から販売地の店頭等で開披されるまでの輸送中における保護機能を充分に備えることができる。また、包装後であっても、包装商品にラベル等を追加の必要が生じたときには、袋体の一部に外部から取付けが可能な大きな開口を簡易に開けることができ、後付作業が簡易に可能となった。そして、その販売地の店頭等で容易、かつスピーディーに開披ができる商品の汚れ防止用包装袋の提供できるものである。
【考案を実施するための最良の形態】
【００１１】
左右側縁と天縁または底縁の三方が閉鎖される樹脂フィルム製袋体であって、閉鎖される天縁に近く平行または略平行であって、かつ袋体の左側縁と右側縁とに所要の間隔を離隔する開口端を有して袋体の表裏面に貫通する横点線状破断部を入れ、その横点線状破断部の中間より下方の表裏面に貫通する上部縦点線状破断部と底縁より下部縦点線状破断部に分割し、その中間部分を未加工部分として残して直線に入れてなる商品の汚れ防止用包装袋。
【実施例】
【００１２】
以下、この考案の商品の汚れ防止用包装袋（以下単に包装袋という。）を図面に示す実施例により説明すると、図１〜３は第１実施例の包装袋１を示し、例えば、押出成型機より製造されたチュウブフィルムをその繰出し方向に所要長さの間隔を持って、その横断方向に切断し、その切断縁の一方は、開口をヒートシールにより閉鎖して天縁１ａ１に、他方縁は、開口をそのまま開放する底縁１ａ２として袋体１ａを設けると共に、その袋体１ａの天縁１ａ１に近く、その天縁１ａ１に略平行し、かつ袋体１ａの左側縁１ａ３と右側縁１ａ４とに所要の間隔を離隔した左端２ａと、右端２ｂを有して袋体１ａの表裏面に点線状に貫通する横点線状破断部２を入れ、その横点線状破断部２の中間より底縁１ａ２の方向に向かって縦方向に、かつ表裏面に貫通する点線状の縦点線状破断部３を入れ、もって、第１実施例の包装袋１を設けてなるものである。前記横点線状破断部２及び縦点線状破断部３は、型による打ち抜き、刃物による押し切り等、適宜手段でもよいものである。
【００１３】
前記第１実施例の包装袋１は、前述のように構成されるから、開放された底縁１ａ２を開き、商品等の被包装物４を入れた後、底縁１ａ２を所要巾、袋体１ａの一方面に折返し、粘着テープ５により封緘し、被包装物４の全体を包装するものにある。
【００１４】
被包装物４は、第１実施例の包装袋１に収容されるので、被包装物４の外面が養生され、搬送中の汚れを防止することができる。そして、例えば、包装後に、ラベル等を取付けしたい場合は、横点線状破断部２を中心に、例えば、上下に袋体１ａを引張ると容易に横点線状破断部２の点線状の接続部が切断して切り開かれ、横破断部開口６を作り、この横破断部開口６から内部に手を差入れてラベル等の後付け作業を被包装物４に対して行うことができる。
【００１５】
次に、商品である被包装物５を開披して店頭に並べるときには、袋体１ａの左側縁１ａ３と右側縁１ａ４を持って外側に引くと、縦点線状破断部３の点線状の接続部が切断して切り開かれて縦破断部開口７を構成し、また、その開口と同時に前記横点線状破断部２が開口していないときには開口し、全体がＴ字形に連通するので、被包装物４を簡単に能率よく取出す開披作業を行うことができるものである。
【００１６】
図示しないが、袋体は左側縁と右側縁と底縁を閉鎖し、天縁を開口して設け、
その袋体の底縁に近く、その底縁に平行または略平行であって、かつ袋体の左側縁と右側縁とに所要の間隔を離隔した左端と、右端を有して袋体の表裏面に点線状に貫通する横点線状破断部を入れ、その横点線状破断部の中間より天縁の方向に向かって縦方向に、かつ表裏面に貫通する点線状の縦点線状破断部を入れて包装袋を設けてなるものでもよいものである。このことは、第２実施例、第３実施例についても同様に、その底縁を閉鎖した袋対における実施例となるものである。
【００１７】
図４は、第２実施例の包装袋８を示し、第１実施例と同様に袋体８ａを設け、その天縁８ａ１の下方に横点線状破断部９を構成した後、横点線状破断部９の中間から底縁８ａ２に向って上部縦点線状破断部１０ａと下部縦点線状破断部１０ｂとに、中間部の未処理部分１１により上下に分断して設けているものである。
【００１８】
第２実施例の包装袋８は、前記のように、上部縦点線状破断部１０ａと下部縦点線状破断部１０ｂとに、中間部の未処理部分１１により上下に分断して設けているから、表裏面に貫通する点線状の切断加工幅を大幅に短縮することができ、製造コストの低減に効果がある。
【００１９】
前記第２実施例の包装袋８は、前記上部縦点線状破断部１０ａと下部縦点線状破断部１０ｂとの中間に未加工部分１１を残すことにより袋体の強度を確保して養生機能の低下を防止している。
【００２０】
前記第２実施例の包装袋８は、包装後に被包装物に対してラベル等の後付け作業が必要になった場合に、横点線状破断部９の点線状の接続部を切断して切り開き、その破断力が上部縦点線状破断部１０ａに及んでもその部分の切断に止まり包装機能を維持できるものである。
【００２１】
図５は、第３実施例の包装袋１２を示し、前記第２実施例の包装袋８が上部縦点線状破断部１０ａと下部縦点線状破断部１０ｂとを設けているのに対して、この第３の実施例は、袋体１２ａの天縁１２ａ１の下方に横点線状破断部１３を構成した後、横点線状破断部１３の中間から底縁１２ａ２に向って上部縦点線横点線状破断部１４ａと底縁１２ａ２の上方の下部縦点線状破断部１４ｂの中間部分に未処理部分１５ａ、１５ｂにより分断される分断中間縦点線状破断部１６を設けてなるものである。この分断中間縦点線状破断部１６は、図示の実施例では一箇所であるが、未処理部分を間に入れて複数箇所の分断中間縦点線状破断部としてもよいものである。そしてその箇所数の増加、長さの延長等については袋体の大きさ、材質、用途等により選定されるものである。
【００２２】
前記実施例１〜４のチュウブフィルムは、平フィルムの両測縁を接着してチュウブフィルムを構成してもよいものである。また、素材については、ポリプロピレン樹脂、ポリエチレン樹脂を用いることができる。他のフィルム樹脂でもよいものである。
【００２３】
素材に前記ポリプロピレン樹脂を用いてシートフィルムを製造したときに縦方向には裂ける性質があるから、第２実施例及び第３実施例において、上部縦点線状破断部と下部縦点線状破断部との間、中間縦点線状破断部（分断されて複数箇所の分断中間縦点線状破断部を含む）との間のそれぞれの無加工部分は、縦点線状破断部より僅かに強く引張ることにより裂けて両者を連絡し、縦に大きく開口するものである。よって、他の樹脂を使用する場合に比較して縦点線状破断部の切断長を短縮し、加工コストとの低減に寄与するものである。
【産業上の利用可能性】
【００２４】
この考案の包装袋は、以上のようになるから、商品の生産拠点が移されて、現地生産地における包装作業の簡易化及び包装後の後付け作業を可能とする大きな開口を容易に設けることができ、そして、輸入国の販売地の店頭等で開披されるまでの長い輸送中における汚れを確実に防止し、また、その販売地の店頭等で容易に能率よく開披作業が行えるものである。
よって、この考案の包装袋は、国際的商品の流通に大きな効果を奏するものである。
【図面の簡単な説明】
【００２５】
【図１】この考案の第１実施例の包装袋を示す表面図である。
【図２】同じく、その第１実施例の包装袋に商品等の被包装物を収容し、底縁を反対面側に折返して封緘した状態を示す表面図である。
【図３】同じく、その第１実施例の包装袋に商品等の被包装物を収容し、底縁を反対面側に折返して底縁を粘着テープで封緘した状態を示す裏面図である。
【図４】この考案の第２実施例の包装袋の示す表面図である。
【図５】この考案の第３実施例の包装袋の示す表面図である。
【符号の説明】
【００２６】
１ 第１実施例の包装袋
１ａ  袋体
１ａ１  天縁
１ａ２  底縁
１ａ３  左側縁
１ａ４  右側縁
２  横点線状破断部
２ａ  左端
２ｂ  右端
３  縦点線状破断部
４  被包装物
５  粘着テープ
６  横破断部開口
７  縦破断部開口
８  第２実施例の包装袋
８ａ  袋体
８ａ１  天縁
９  横点線状破断部
８ａ２  底縁
１０ａ  上部縦点線状破断部
１０ｂ  下部縦点線状破断部  
１１  未処理部分
１２  第３実施例の包装袋
１２ａ  袋体
１２ａ１  天縁
１３  横点線状破断部
１２ａ２  底縁
１４ａ  上部縦点線横点線状破断部
１４ｂ  下部縦点線状破断部
１５ａ  未処理部分
１５ｂ  未処理部分
１６  分断中間縦点線状破断部
【図１】
0003114627.tif 000003
【図２】
0003114627.tif 000004
【図３】
0003114627.tif 000005
【図４】
0003114627.tif 000006
【図５】
0003114627.tif 000007